(57)【要約】【課題】流し台の下方空間を、多様な用途に有効活用することのできる流し台キャビネットを提供する。【解決手段】本発明は、キッチンの流し台６の下方に設置される流し台キャビネットである。この流し台キャビネットは、蒸発器及び凝縮器を有するヒートポンプと、前記蒸発器によって冷却される保冷庫３と、乾燥庫４とを備える。乾燥庫４は、前記ヒートポンプが有する前記凝縮器の熱を放出するように構成された放熱フィン２３１を、棚板４３として有する。これにより、流し台６の下方に乾燥スペースが確保される。【選択図】図１
2015112362.tif 000002
【特許請求の範囲】
【請求項１】
キッチンの流し台の下方に設置される流し台キャビネットであって、
蒸発器及び凝縮器を有するヒートポンプと、
前記蒸発器によって冷却される保冷庫と、
前記凝縮器の熱を放出するように構成された放熱フィンを、棚板として有する乾燥庫と、
を備えることを特徴とする流し台キャビネット。
【発明の詳細な説明】
【技術分野】
【０００１】
本発明は、キッチンの流し台の下方に設置される流し台キャビネットに関する。
【背景技術】
【０００２】
従来、キッチンの流し台の下方には、流し台キャビネットが備えられる。この流し台キャビネットに、食材を収納しておくことのできる保冷庫を組み込むことが、特許文献１等で提案されている。
【先行技術文献】
【特許文献】
【０００３】
【特許文献１】特開平９−３１３２７０号公報
【発明の概要】
【発明が解決しようとする課題】
【０００４】
上記したように、流し台キャビネットにおいて、保冷庫を組み込んだものは従来提案されている。しかし、流し台の下方空間を有効活用するためには、キャビネットに保冷庫が組み込まれるだけで十分とはいえず、流し台の下方空間を、その他の用途にも有効活用することが望まれる。
【０００５】
本発明は前記課題を解決するもので、流し台の下方空間を、多様な用途に有効活用することのできる流し台キャビネットを提供することを、目的とする。
【課題を解決するための手段】
【０００６】
前記課題を解決するために、本発明を、下記構成を具備する流し台キャビネットとする。
【０００７】
本発明は、キッチンの流し台の下方に設置される流し台キャビネットであって、ヒートポンプと、保冷庫と、乾燥庫とを備える。前記ヒートポンプは、蒸発器及び凝縮器を有する。前記保冷庫は、前記蒸発器によって冷却される。前記乾燥庫は、前記凝縮器の熱を放出するように構成された放熱フィンを、棚板として有する。
【発明の効果】
【０００８】
本発明は、流し台の下方に保冷庫と乾燥庫を備え、前記保冷庫はヒートポンプの蒸発器によって冷却され、前記乾燥庫は、前記ヒートポンプの凝縮器の熱を放出する放熱フィンを、棚板として有する。したがって、本発明は、流し台の下方空間を、保冷や乾燥の用途に有効活用することができ、スペース面やコスト面でも有利であるという効果を奏する。
【図面の簡単な説明】
【０００９】
【図１】本発明の一実施形態の流し台キャビネットの全体を示す斜視図である。
【図２】本発明の一実施形態の流し台キャビネットの要部を示す構成図である。
【発明を実施するための形態】
【００１０】
本発明を、添付図面に示す実施形態に基づいて説明する。
【００１１】
図１には、本発明の一実施形態の流し台キャビネットを示している。
【００１２】
本実施形態の流し台キャビネットは、キッチンの流し台６の下方に設置されるキャビネット本体１と、キャビネット本体１に設置される保冷庫３、乾燥庫４及び製氷庫５を備える。キャビネット本体１にはヒートポンプ２（図２参照）を内蔵し、このヒートポンプ２で保冷庫３の冷却等を行う。
【００１３】
以下、本実施形態の流し台キャビネットが備える各構成について、更に詳述する。
【００１４】
キャビネット本体１は、その上端部に流し台６とカウンター７が設置されるように構成したキャビネットである。流し台６は、カウンター７に設けた開口内に設置される。
【００１５】
流し台６には、流し台６に向けて湯水を吐出することのできる水栓装置８を設置している。
【００１６】
水栓装置８は、外部からの操作入力によって、吐水量や吐水温度の調整が可能である。本実施形態の水栓装置８は、選択可能な複数のモードを有する。複数のモードは、非常に冷たい冷水を吐出する超冷水モードを含む。
【００１７】
保冷庫３は、図２に示すようなヒートポンプ２によって冷却される。
【００１８】
ヒートポンプ２は、熱媒体を循環させる管路２１と、管路２１中に配される圧縮機２２、凝縮器２３、膨張弁２４及び蒸発器２５を備える。圧縮機２２によって図中の矢印方向に熱媒体が循環することで、凝縮器２３で発熱を生じ、蒸発器２５で吸熱を生じる。凝縮器２３は、複数の放熱フィン２３１を備える。
【００１９】
保冷庫３は、保冷空間３１と、保冷空間３１を開閉する扉３２（図１参照）と、蒸発器２５によって冷却された冷風を保冷空間３１内に送り込むファン３３とを有する。
【００２０】
乾燥庫４は、乾燥空間４１と、乾燥空間４１を開閉する扉４２（図１参照）と、乾燥空間４１内に配置される複数枚の棚板４３とを有する。これら複数枚の棚板４３の全て又は一部を、ヒートポンプ２の放熱フィン２３１で構成している。
【００２１】
つまり、本実施形態の乾燥庫４では、棚板４３を熱伝導率の高い材質及び形状で構成し、この棚板４３を、ヒートポンプ２が有する凝縮器２３に対して熱的に且つ機械的に接続させている。
【００２２】
製氷庫５は、製氷空間５１と、製氷空間５１を開閉する扉５２とを有する。図１に示すように、キャビネット本体１において、製氷庫５は保冷庫３の上方に位置する。乾燥庫４は、製氷庫５及び保冷庫３の側方に位置する。保冷庫３、乾燥庫４及び製氷庫５は、いずれも流し台６の下方に位置する。
【００２３】
本実施形態の流し台キャビネットによれば、流し台６の下方空間を、多様な用途に活用することができ、キッチンでの作業を省スペースで効率的に行うことが可能となる。具体的には、キッチンで調理したおかずを、そのまま下方の保冷庫３に収めることができ、また、麺類、野菜等の食材を冷やすための氷を製氷庫５から取り出して、流し台６内で速やかに食材を冷やすことができる。
【００２４】
また、流し台６で洗浄した食器を、そのまま下方の乾燥庫４に収めることが可能となる。特に、食器洗浄機には入り難く且つ乾き難いタイプの食器を洗浄する場合、乾燥庫４のような乾燥スペースが流し台６の下方に位置することで、キッチンの使い勝手が大幅に向上する。しかも、この乾燥庫４はヒートポンプ２の放熱フィン２３１を活用したものであるから、スペース面及びコスト面でも非常に有利である。
【００２５】
以上、説明したように、本実施形態の流し台キャビネットは、キッチンの流し台６の下方に設置される流し台キャビネットであり、蒸発器２５及び凝縮器２３を有するヒートポンプ２と、蒸発器２５によって冷却される保冷庫３と、乾燥庫４とを備える。乾燥庫４は、凝縮器２３の熱を放出するように構成された放熱フィン２３１を、棚板４３として有する。
【００２６】
したがって、本実施形態の流し台キャビネットによれば、流し台６の下方空間を、調理したおかずを収めるための保冷スペース（保冷庫３）や、洗浄した食器を乾燥させるためのスペース（乾燥庫４）として、有効活用することができる。しかも、乾燥庫４は、保冷庫３を冷却するヒートポンプ２の放熱フィン２３１を活用したものであるから、スペース面及びコスト面において非常に有利となる。
【００２７】
以上、本発明を添付図面に示す実施形態に基づいて説明したが、本発明は前記実施形態に限定されるものではない。本発明の意図する範囲内であれば、適宜の設計変更を行うことが可能である。
【符号の説明】
【００２８】
２      ヒートポンプ
２３    凝縮器
２３１  放熱フィン
２５    蒸発器
３      保冷庫
４      乾燥庫
４３    棚板
６      流し台
【図１】
2015112362.tif 000003
【図２】
2015112362.tif 000004